【手続補正書】
【提出日】平成19年12月14日(2007.12.14)
【手続補正１】
【補正対象書類名】明細書
【補正対象項目名】発明の名称
【補正方法】変更
【補正の内容】
【発明の名称】切断装置およびこれを備えたテープ印刷装置並びに切断方法
【手続補正２】
【補正対象書類名】明細書
【補正対象項目名】特許請求の範囲
【補正方法】変更
【補正の内容】
【特許請求の範囲】
【請求項１】  テープカッタを用いてテープ状部材を切断可能な切断装置であって、
前記テープ状部材の種類を検出するテープ検出手段と、
前記テープ検出手段の検出結果に基づいて、前記テープカッタを駆動するか否かを設定するテープカッタ駆動設定手段と、
前記テープカッタ駆動設定手段により前記テープカッタを駆動するように設定された場合、前記テープカッタを駆動して前記テープ状部材を切断するテープカット手段と、を備え、
前記テープカッタ駆動設定手段は、前記テープ検出手段の検出結果に基づいて前記テープ状部材が切断可能であると判別した場合のみ、前記テープカッタを駆動するように設定することを特徴とする切断装置。
【請求項２】  前記テープ検出手段には、前記テープ状部材の材質を検出する手段が含まれ、
前記テープカッタ駆動設定手段は、前記テープ状部材の材質に基づいて、前記テープ状部材が切断可能であるか否かを判別することを特徴とする請求項１に記載の切断装置。
【請求項３】  前記テープ検出手段には、前記テープ状部材の厚みを検出する手段が含まれ、
前記テープカッタ駆動設定手段は、前記テープ状部材の厚みが予め規定した厚み以下であることを検出した場合に、前記テープ状部材が切断可能であると判別することを特徴とする請求項１に記載の切断装置。
【請求項４】  前記テープ検出手段は、電源ＯＮの直後に前記テープ状部材の種類を検出することを特徴とする請求項１ないし３のいずれかに記載の切断装置。
【請求項５】  前記テープ状部材は、受像層と剥離層とを有し、
前記テープカッタは、前記テープ状部材の受像層のみを切断可能なハーフカッタであることを特徴とする請求項１ないし４のいずれかに記載の切断装置。
【請求項６】  前記テープ検出手段には、前記テープ状部材に前記剥離層が存在するか否かを検出する手段が含まれ、
前記テープカッタ駆動設定手段は、前記テープ状部材が切断可能であると判別し、且つ前記テープ状部材に剥離層が存在することを検出した場合のみ、前記ハーフカッタを駆動するように設定することを特徴とする請求項５に記載の切断装置。
【請求項７】  前記ハーフカッタを駆動するか否かを指示するハーフカッタ駆動指示手段を更に備え、
前記テープカッタ駆動設定手段は、前記テープ検出手段により前記テープ状部材に剥離層が存在しないことを検出した場合、前記ハーフカッタ駆動指示手段による指示内容に関わらず、前記ハーフカッタを駆動しないように設定することを特徴とする請求項６に記載の切断装置。
【請求項８】  前記テープカッタ駆動設定手段による設定内容を報知する設定内容報知手段を更に備えたことを特徴とする請求項１ないし７のいずれかに記載の切断装置。
【請求項９】  請求項１ないし８のいずれかに記載の切断装置と、
前記テープ状部材に印刷を行う印刷装置と、を備えたことを特徴とするテープ印刷装置。
【請求項１０】  テープカッタを用いてテープ状部材を切断する切断方法であって、
前記テープ状部材の種類を検出するテープ検出工程と、
前記テープ検出工程の検出結果に基づいて、前記テープカッタを駆動するか否かを設定するテープカッタ駆動設定工程と、
前記テープカッタ駆動設定工程において前記テープカッタを駆動するように設定された場合、前記テープカッタを駆動して前記テープ状部材を切断するテープカット工程と、を備え、
前記テープカッタ駆動設定工程では、前記テープ検出工程における検出結果に基づいて前記テープ状部材が切断可能であると判別した場合のみ、前記テープカッタを駆動するように設定することを特徴とする切断方法。
【手続補正３】
【補正対象書類名】明細書
【補正対象項目名】０００１
【補正方法】変更
【補正の内容】
【０００１】
【発明の属する技術分野】
本発明は、テープカッタを用いてテープ状部材を切断可能な切断装置およびこれを備えたテープ印刷装置並びに切断方法に関するものである。
【手続補正４】
【補正対象書類名】明細書
【補正対象項目名】０００５
【補正方法】変更
【補正の内容】
【０００５】
本発明は、上記の問題点に鑑み、検出したテープ種類に基づいて、テープカットを行うか否かの設定を行うことができる切断装置およびこれを備えたテープ印刷装置並びに切断方法を提供することを目的とする。
【手続補正５】
【補正対象書類名】明細書
【補正対象項目名】０００６
【補正方法】変更
【補正の内容】
【０００６】
【課題を解決するための手段】
本発明の切断装置は、テープカッタを用いてテープ状部材を切断可能な切断装置であって、テープ状部材の種類を検出するテープ検出手段と、テープ検出手段の検出結果に基づいて、テープカッタを駆動するか否かを設定するテープカッタ駆動設定手段と、テープカッタ駆動設定手段によりテープカッタを駆動するように設定された場合、テープカッタを駆動してテープ状部材を切断するテープカット手段と、を備え、テープカッタ駆動設定手段は、テープ検出手段の検出結果に基づいてテープ状部材が切断可能であると判別した場合のみ、テープカッタを駆動するように設定することを特徴とする。
上記に記載の切断装置において、テープ検出手段には、テープ状部材の材質を検出する手段が含まれ、テープカッタ駆動設定手段は、テープ状部材の材質に基づいて、テープ状部材が切断可能であるか否かを判別することが好ましい。
上記に記載の切断装置において、テープ検出手段には、テープ状部材の厚みを検出する手段が含まれ、テープカッタ駆動設定手段は、テープ状部材の厚みが予め規定した厚み以下であることを検出した場合に、テープ状部材が切断可能であると判別することが好ましい。
上記に記載の切断装置において、テープ検出手段は、電源ＯＮの直後にテープ状部材の種類を検出することが好ましい。
上記に記載の切断装置において、テープ状部材は、受像層と剥離層とを有し、テープカッタは、テープ状部材の受像層のみを切断可能なハーフカッタであることが好ましい。
上記に記載の切断装置において、テープ検出手段には、テープ状部材に剥離層が存在するか否かを検出する手段が含まれ、テープカッタ駆動設定手段は、テープ状部材が切断可能であると判別し、且つテープ状部材に剥離層が存在することを検出した場合のみ、ハーフカッタを駆動するように設定することが好ましい。
上記に記載の切断装置において、ハーフカッタを駆動するか否かを指示するハーフカッタ駆動指示手段を更に備え、テープカッタ駆動設定手段は、テープ検出手段によりテープ状部材に剥離層が存在しないことを検出した場合、ハーフカッタ駆動指示手段による指示内容に関わらず、ハーフカッタを駆動しないように設定することが好ましい。
上記に記載の切断装置において、テープカッタ駆動設定手段による設定内容を報知する設定内容報知手段を更に備えたことが好ましい。
本発明のテープ印刷装置は、上記に記載の切断装置と、テープ状部材に印刷を行う印刷装置と、を備えたことを特徴とする。
本発明の切断方法は、テープカッタを用いてテープ状部材を切断する切断方法であって、テープ状部材の種類を検出するテープ検出工程と、テープ検出工程の検出結果に基づいて、テープカッタを駆動するか否かを設定するテープカッタ駆動設定工程と、テープカッタ駆動設定工程においてテープカッタを駆動するように設定された場合、テープカッタを駆動してテープ状部材を切断するテープカット工程と、を備え、テープカッタ駆動設定工程では、テープ検出工程における検出結果に基づいてテープ状部材が切断可能であると判別した場合のみ、テープカッタを駆動するように設定することを特徴とする。
なお、以下の構成としても良い。
本発明のハーフカット装置は、受像層と剥離層とを有するテープ状部材の幅方向に対し、ハーフカッタを用いて当該テープ状部材の受像層のみを切断可能なハーフカット装置において、前記テープ状部材の種類を検出するテープ検出手段と、前記テープ検出手段の検出結果に基づいて、前記ハーフカッタを駆動するか否かを設定するハーフカッタ駆動設定手段と、前記ハーフカッタ駆動設定手段により前記ハーフカッタを駆動するように設定された場合、前記ハーフカッタを駆動して前記テープ状部材の受像層のみを切断するハーフカットを行うハーフカット手段と、を備えたことを特徴とする。
【手続補正６】
【補正対象書類名】明細書
【補正対象項目名】００２２
【補正方法】変更
【補正の内容】
【００２２】
【発明の実施の形態】
以下、本発明の一実施形態に係る切断装置およびこれを備えたテープ印刷装置並びに切断方法について、添付図面を参照しながら詳細に説明する。
【手続補正７】
【補正対象書類名】明細書
【補正対象項目名】００２５
【補正方法】変更
【補正の内容】
【００２５】
図１ないし図３に示すように、テープ印刷装置１では、ユーザが、開閉ボタン６により開閉蓋５を開放し、ポケットＰにテープカートリッジＣを装着した後、蓋体８を開蓋して、キーボード３を開放し、ディスプレイ１４を参照しながらキーボード３を操作する。キーボード３により所望の文字など（文字、数字、記号、簡易図形等のキャラクタ）の印刷情報を入力して、印刷を指示すると、テープカートリッジＣからテープＴを繰り出して、印刷ヘッド１２２によりテープＴに所望の印刷を行い、印刷済み部分はテープ排出口２２から随時外部に送り出される。所望の印刷が完了すると、余白分を含むテープ長さの位置までテープＴの送りを行った後、その送りを停止し、テープ排出口２２に形成されたテープカッタ（フルカット用テープカッタ１３２ａ，図４参照）により、送りだしたテープＴを切断する。
【手続補正８】
【補正対象書類名】明細書
【補正対象項目名】００２７
【補正方法】変更
【補正の内容】
【００２７】
テープＴは、印刷面となる受像層Ｔａと、その裏面側に形成された粘着材層Ｔｂと、さらにその裏面側に形成された剥離層Ｔｃとにより構成されている（図８（ａ）および（ｂ）参照）。テープＴとインクリボンＲは、貫通孔５５の位置で相互に重なり合った状態で走行するとともに、テープＴのみが外部に排出され、インクリボンＲは内部で巻き取られるようになっている。外部に排出されたテープＴは、剥離層Ｔｃを剥がして貼付対象物に貼付される。なお、テープ印刷装置１には、図８（ｂ）に示すように、１層のみの（剥離層Ｔｃを有しない）テープＴ’も使用可能である。
【手続補正９】
【補正対象書類名】明細書
【補正対象項目名】００３９
【補正方法】変更
【補正の内容】
【００３９】
検出部１５は、前述の回転速度センサ１４１、テープ識別センサ１４２を備えている。
【手続補正１０】
【補正対象書類名】明細書
【補正対象項目名】００５２
【補正方法】変更
【補正の内容】
【００５２】
そこで、上述のように、テープＴの交換時には電源が切れてしまうように構成された装置におけるハーフカットの設定方法を、図６および図７の画面表示４５を参照し、操作手順に従って説明する。まず、剥離紙Ｔｃ付のテープを装着した場合について説明する。図６に示すように、剥離紙Ｔｃ付のテープを装着した後、電源キーをＯＮにすると、テキスト入力画面を表示する（Ｄ１１）。なお、画面表示４５中の「丸付き数字１」は、テキスト１行目の入力であることを示す。また、このとき、ハーフカットＬＥＤ４２を点灯している。
【手続補正１１】
【補正対象書類名】明細書
【補正対象項目名】００５４
【補正方法】変更
【補正の内容】
【００５４】
次に、剥離紙ＴｃなしのテープＴ（テープＴ’）を装着した場合について説明する。図７に示すように、剥離紙ＴｃなしのテープＴ（テープＴ’）を装着した後、電源キーをＯＮにすると、自動で「ハーフカットＯＦＦ」に設定した旨を表示する（Ｄ２１）。また、このときハーフカットＬＥＤ４２は消灯している。さらに、これを１〜２秒表示すると、画面はテキスト入力画面に遷移する（Ｄ２２）。
【手続補正１２】
【補正対象書類名】図面
【補正対象項目名】図４
【補正方法】変更
【補正の内容】
【図４】
2002193538.tif 000001